(57)【要約】【課題】簡単に相手先に通信することができると共に、サービスの利用者間の繋がりを強化し、個人情報を適切に保護することのできる携帯通信装置及び通信プログラムを提供する。【解決手段】本発明は、通信ネットワークを介して互いに通信を行う携帯通信装置１であって、通信の相手先の宛先情報を格納する宛先情報格納手段７と、前記相手先が入力したメッセージを格納するメッセージ格納手段４と、宛先情報格納手段７に格納された相手先の宛先情報とメッセージ格納手段４に格納された前記相手先のメッセージとを関連付けて相手先情報として表示する相手先情報表示手段１１と、を備えていることを特徴とする。【選択図】図３
2009044591.tif 000002
【特許請求の範囲】
【請求項１】
通信ネットワークを介して互いに通信を行う携帯通信装置であって、
通信の相手先の宛先情報を格納する宛先情報格納手段と、
前記相手先が入力したメッセージを格納するメッセージ格納手段と、
前記宛先情報格納手段に格納された相手先の宛先情報と前記メッセージ格納手段に格納された前記相手先のメッセージとを関連付けて相手先情報として表示する相手先情報表示手段と、
を備えていることを特徴とする携帯通信装置。
【請求項２】
自分が入力したメッセージを表示する自己関連情報表示手段と、
該自己関連情報表示手段が表示した自分のメッセージが選択されると、該自分のメッセージに対して相手先が入力したコメントを表示する相手先コメント表示手段と、
を備えている請求項１に記載の携帯通信装置。
【請求項３】
前記自己関連情報表示手段は、前記相手先が入力したメッセージに対して自分がコメントを入力した場合に前記相手先のメッセージを表示する請求項２に記載の携帯通信装置。
【請求項４】
前記自己関連情報表示手段が表示した前記相手先のメッセージが選択されると、自分の宛先情報格納手段に宛先情報が格納されているか否かに拘らず、前記相手先のメッセージに対してコメントを入力した全員のコメントをその相手先と共に表示する全員コメント表示手段を備えている請求項３に記載の携帯通信装置。
【請求項５】
前記全員コメント表示手段が表示した相手先が自分の宛先情報格納手段に格納されていない不知の関係にある不知者である場合に該不知者が選択されると、該不知者と友達関係を申請するかどうかについて問合せを行う友達関係問合せ手段と、
該友達申請問合せ手段による問合せに対して前記不知者との友達関係の申請が選択されると、前記不知者及び自分と友達関係にある他の相手先が許可した場合であってさらに友達関係の申請を受けた前記相手先が許可した場合にのみ前記友達関係の申請を許可する友達関係判定手段と、
該友達関係判定手段が前記友達関係の申請を許可した場合に前記不知者の宛先情報を前記自分の宛先情報格納手段に登録する友達関係登録手段と、
を備えている請求項４に記載の携帯通信装置。
【請求項６】
前記友達関係問合せ手段は、前記不知者双方と友達関係にある相手先からの要求に応じて、互いに不知の関係にある不知者双方に対して友達関係になることを推薦するための問合せを行い、前記友達関係判定手段は、前記不知者双方から同意があった場合にのみ前記友達関係を許可し、前記友達関係登録手段は前記不知者双方の宛先情報をそれぞれ前記不知者双方の宛先情報格納手段に登録する請求項５に記載の携帯通信装置。
【請求項７】
前記宛先情報格納手段に宛先情報が格納された相手先が入力した最新のコメントを表示する相手先最新コメント表示手段を備えている請求項１〜６のいずれか１の請求項に記載の携帯通信装置。
【請求項８】
通信ネットワークを介して互いに通信を行うための通信プログラムであって、
通信の相手先の宛先情報を宛先情報格納手段に格納するステップと、
前記相手先が入力したメッセージをメッセージ格納手段に格納するステップと、
前記宛先情報格納手段に格納された相手先の宛先情報と前記メッセージ格納手段に格納された前記相手先のメッセージとを関連付けて相手先情報表示手段が相手先情報として表示するステップと、
をコンピュータに実行させるための通信プログラム。
【発明の詳細な説明】
【技術分野】
【０００１】
本発明は、通信ネットワークを介して互いに通信を行う携帯通信装置及び通信プログラムに関するものである。
【背景技術】
【０００２】
従来、携帯電話等の携帯通信装置は、通信の相手先の電話番号やメールアドレス等の宛先情報を格納するアドレス帳を備えており、利用者は、そのアドレス帳から所望の相手先の電話番号やメールアドレスを検索した上で、発信している（例えば、特許文献１参照）。
【０００３】
また、近年、インターネット等の通信ネットワークを利用して社会的ネットワークを構築するサービスとして、ソーシャル・ネットワーキング・サービス（英語：Social Networking Service、略称：ＳＮＳ）と呼ばれるものがある。このソーシャル・ネットワーキング・サービスは、友達が友達を紹介するといった手法により新たな友達関係を構築する場を提供したり、或いは、友達関係にある人達の間においてコミュニケーションを円滑にする場を提供したりしている（例えば、特許文献２参照）。
【特許文献１】特開２００７−６８２３４号公報
【特許文献２】特開２００６−２３８７６号公報
【発明の開示】
【発明が解決しようとする課題】
【０００４】
しかしながら、上記した特許文献１に記載されているような従来技術では、相手先に通信する度に、多数の相手先の宛先情報が登録されているアドレス帳の中から所望な相手先の宛先情報を検索する必要があるため、その検索作業に手間が掛かるといった問題があった。
【０００５】
また、上記した特許文献２に記載されているような従来技術では、一人の友達の紹介で簡単にサービスを利用することができるため、サービスの利用者間での繋がりが弱くなる傾向があった。そのため、個人情報が不適切に利用され、個人情報を保護することが難しいといった問題もあった。
【０００６】
本発明は、上記した課題を解決すべくなされたものであり、簡単に相手先に通信することができると共に、サービスの利用者間の繋がりを強化し、個人情報を適切に保護することのできる携帯通信装置及び通信プログラムを提供することを目的とするものである。
【課題を解決するための手段】
【０００７】
上記した目的を達成するため、本発明は、通信ネットワークを介して互いに通信を行う携帯通信装置であって、通信の相手先の宛先情報を格納する宛先情報格納手段と、前記相手先が入力したメッセージを格納するメッセージ格納手段と、前記宛先情報格納手段に格納された相手先の宛先情報と前記メッセージ格納手段に格納された前記相手先のメッセージとを関連付けて相手先情報として表示する相手先情報表示手段と、を備えていることを特徴とする。
【０００８】
そして、本発明は、自分が入力したメッセージを表示する自己関連情報表示手段と、該自己関連情報表示手段が表示した自分のメッセージが選択されると、該自分のメッセージに対して相手先が入力したコメントを表示する相手先コメント表示手段と、を備えていてもよい。
【０００９】
また、前記自己関連情報表示手段は、前記相手先が入力したメッセージに対して自分がコメントを入力した場合に前記相手先のメッセージを表示してもよい。
【００１０】
さらに、前記自己関連情報表示手段が表示した前記相手先のメッセージが選択されると、自分の宛先情報格納手段に宛先情報が格納されているか否かに拘らず、前記相手先のメッセージに対してコメントを入力した全員のコメントをその相手先と共に表示する全員コメント表示手段を備えていてもよい。
【００１１】
さらにまた、前記全員コメント表示手段が表示した相手先が自分の宛先情報格納手段に格納されていない不知の関係にある不知者である場合に該不知者が選択されると、該不知者と友達関係を申請するかどうかについて問合せを行う友達関係問合せ手段と、該友達申請問合せ手段による問合せに対して前記不知者との友達関係の申請が選択されると、前記不知者及び自分と友達関係にある他の相手先が許可した場合であってさらに友達関係の申請を受けた前記相手先が許可した場合にのみ前記友達関係の申請を許可する友達関係判定手段と、該友達関係判定手段が前記友達関係の申請を許可した場合に前記不知者の宛先情報を前記自分の宛先情報格納手段に登録する友達関係登録手段と、を備えていてもよい。
【００１２】
さらに、前記友達関係問合せ手段は、前記不知者双方と友達関係にある相手先からの要求に応じて、互いに不知の関係にある不知者双方に対して友達関係になることを推薦するための問合せを行い、前記友達関係判定手段は、前記不知者双方から同意があった場合にのみ前記友達関係を許可し、前記友達関係登録手段は前記不知者双方の宛先情報をそれぞれ前記不知者双方の宛先情報格納手段に登録してもよい。
【００１３】
さらに、前記宛先情報格納手段に宛先情報が格納された相手先が入力した最新のコメントを表示する相手先最新コメント表示手段を備えていてもよい。
【００１４】
また、本発明は、通信ネットワークを介して互いに通信を行うための通信プログラムであって、通信の相手先の宛先情報を宛先情報格納手段に格納するステップと、前記相手先が入力したメッセージをメッセージ格納手段に格納するステップと、前記宛先情報格納手段に格納された相手先の宛先情報と前記メッセージ格納手段に格納された前記相手先のメッセージとを関連付けて相手先情報表示手段が相手先情報として表示するステップと、をコンピュータに実行させることを特徴とする。
【発明の効果】
【００１５】
本発明によれば、簡単に相手先に通信することができると共に、サービスの利用者間の繋がりを強化し、個人情報を適切に保護することができる。
【発明を実施するための最良の形態】
【００１６】
以下、図面を参照しつつ、本発明の実施の形態について説明する。ここで、図１は本発明の実施の形態に係る携帯通信装置の構成を示す概略図、図２は同携帯通信装置の構成を示すブロック図である。
【００１７】
図１に示されているように、本実施の形態に係る携帯通信装置１は、複数の携帯端末２と管理サーバ３とデータベース４とが通信ネットワーク５を介して接続されて構成されており、データベースサーバ３は各携帯端末２ａ，２ｂ，２ｃから入力されたメッセージやコメントを格納するようになっている。
【００１８】
図２に示されているように、携帯端末２ａ，２ｂ，２ｃは、全体の動作を制御する制御部６と、通信の相手先の宛先情報をアドレス帳として格納する記憶部７と、制御部６が動作するに当り必要な各種データを記憶するＲＡＭ（Random-Access Memory）８と、制御プログラムを記憶するＲＯＭ（Read-Only Memory）９と、数字や文字等のキーを入力するための操作部１０と、各種画面を表示する表示部１１と、各種音声を発生する音声発生部１２と、各種画像を撮影する撮像部１３と、基地局（図示省略）と無線により通信する送受信部１４とを備えて構成されている。
【００１９】
次に、図３〜図１１を参照しつつ、本発明の実施の形態に係る携帯通信装置の通信方法について説明する。ここで、図３は本発明の実施の形態に係る携帯通信装置の全体メイン画面を示す図、図４は同携帯通信装置のmy themeのメイン画面を示す図、図５は同携帯通信装置のmy themeの個別画面を示す図、図６は同携帯通信装置のcomment logのメイン画面を示す図、図７は同携帯通信装置のcomment logの個別画面を示す図、図８は同携帯通信装置のNew updateのメイン画面を示す図、図９は同携帯通信装置のNew updateの個別画面を示す図、図１０は同携帯通信装置のアドレス帳の個別画面を示す図、図１１は同携帯通信装置のアドレス帳の別の個別画面を示す図である。
【００２０】
先ず、携帯端末２ａの持ち主である自分によって操作部１０から所定の操作が行われると、携帯端末２ａから通信ネットワーク５を介して管理サーバ３に対して自分に関連するメッセージやコメント（以下、「自己関連情報」と言う。）の送信命令が送信される。この命令を受けて、管理サーバ３によりデータベース４から自己関連情報が検索され、該自己関連情報は通信ネットワーク５を介して携帯端末２ａに送信され、ＲＡＭ８に格納される。
【００２１】
この結果、携帯端末２ａの表示部１１には制御部６によって携帯電話２ａの持ち主である自分のサイトの全体メイン画面２０が表示される。この全体メイン画面２０には、図３に示されているように、自分に関連した自己関連情報を表示するMyセクション２１と、記憶部７に格納された相手先の宛先情報とデータベース４からＲＡＭ８に格納された相手先のメッセージとを関連付けて相手先情報として表示するアドレス帳セクション２２とがそれぞれ上下に表示される。
【００２２】
Ｍｙセクション２１の最上段には、友達紹介及び友達申請の各選択釦２３，２４がそれぞれの件数と共に表示され、さらに、これらの選択釦２３，２４に並列して自分のサイトにアクセスした人の足跡の選択釦２５が表示される。そして、これらの選択釦２３，２４，２５をクリックすると、友達紹介、友達申請、及び足跡の各メイン画面が表示される。
【００２３】
Ｍｙセクション２１の前記各選択釦２３，２４，２５の下方には、my theme、comment log、及びnew updateの各項目２６，２７，２８が表示される。my themeは、自分が入力したメッセージを相手先に公開するものであり、my themeの項目２６をクリックすると、制御部６によって表示部１１には、図４に示されているように、my themeのメイン画面２９が表示され、このメイン画面２９には、過去に自分が入力したメッセージ（my theme）が該メッセージに対して相手先が入力したコメントの数と共に最新のものから順に表示される。
【００２４】
さらに、図４のmy
themeのメイン画面２９において、自分のメッセージ（例えば、「今日、東京にやっと着きました。」）をクリックすると、制御部６によって表示部１１には、図５に示されているように、my themeの個別画面３０が表示され、自分が入力したメッセージ対して相手先が入力したコメントが表示される。そして、このmy themeの個別画面３０において、相手先のコメント（例えば、「お疲れ様でした」）をクリックすると、該相手先のコメントに対するコメントの作成画面（図示省略）が表示され、前記相手先にコメントを送信することができる。また、このmy themeの個別画面３０において、相手先の名前（例えば、「石見さん」）をクリックすると、該相手先のアドレス帳の個別画面４１（図１０参照）該相手先の項目が表示される。
【００２５】
再度、図３に戻ると、comment
logは、データベースサーバ３に宛名情報が格納された相手先が入力したメッセージ（すなわち、相手先のmy theme）に対して自分がコメントを入力した場合にその相手先のメッセージをその相手先の名前と共に表示するものであり、comment logの項目２７をクリックすると、図６に示されているように、制御部６によって表示部１１には、comment logのメイン画面３１が表示され、このメイン画面３１には、過去の相手先のメッセージが該相手先のメッセージに対して自分が入力したコメントや該メッセージに対して入力されたコメントの総数と共に最新のものから順に表示される。
【００２６】
さらに、図６のcomment
logのメイン画面３１において、相手先のメッセージ（例えば、「おれさぁ、宝くじ当たっちゃった」）をクリックすると、図７に示されているように、制御部６によって表示部１１には、comment logの個別画面３２が表示され、自分のアドレス帳に宛先情報が格納されているか否かに拘らず、相手先のメッセージに対してコメントを入力した全員のコメントがその名前と共に表示される。そして、このcomment logの個別画面３２において、相手先のコメントをクリックすると、制御部６によって表示部１１には、該相手先のコメントに対するコメントの作成画面（図示省略）が表示され、前記相手先にコメントを送信することができる。また、この時、新しい友達を申請することも可能であるが、この方法については後述する。
【００２７】
再度、図３に戻ると、new
updateは、データベースサーバ３に格納された相手先が新しくメッセージ（すなわち、相手先のmy theme）を入力した場合に、一定期間（例えは、直近３ヶ月間）、その相手先のメッセージをその相手先の名前と共に表示するものであり、new updateの項目２８をクリックすると、図８に示されているように、制御部６によって表示部１１には、new updateのメイン画面３３が表示され、このメイン画面３３には、一定期間に相手先が入力した最新のメッセージが該相手先のメッセージに対して入力されたコメントの総数及びその相手先の名前と共に最新のものから順に表示される。
【００２８】
さらに、図８のnew
updateのメイン画面３３において、相手先のメッセージ（例えば、「僕、会社を辞めます。」）をクリックすると、図９に示されているように、制御部６によって表示部１１には、new updateの個別画面３４が表示され、自分のアドレス帳に宛先情報が格納されているか否かに拘らず、相手先のメッセージに対してコメントを入力した全員のコメントがその名前と共に表示される。そして、このcomment logの個別画面３４において、相手先のコメントをクリックすると、制御部６によって表示部１１には、該相手先のコメントに対するコメントの作成画面（図示省略）が表示され、前記相手先にコメントを送信することができる。
【００２９】
再度、図３に戻ると、アドレス帳セクション２２には、相手先情報欄３５が相手先の名前の５０音順に表示され、この相手先情報欄３５には、相手先の名前３６、相手先の最新のメッセージ（すなわち、相手先のmy theme）３７、相手先の写真又はイラスト等の画像３８、コメント釦３９、相手先の最新のメッセージに対するコメントの総数４０がそれぞれ表示される。
【００３０】
そして、この相手先情報欄３５の相手先の名前（例えば、「青木さん」）３６をクリックすると、図１０に示されているように、制御部６によって表示部１１には、該相手先のアドレス帳の個別画面４１が表示される。この個別画面４１には、相手先の電話番号やメールアドレスなどの宛先情報の他、発信釦４２、メール釦４３、メニュー釦４４が表示され、発信釦４２やメール釦４３をクリックすると、その相手先に電話を掛けたり、メールを送信したりすることができるようになっている。
【００３１】
また、前記相手先情報欄３５の相手先の最新のメッセージ３７（例えば、「私、来週結婚します。」）をクリックすると、図１１に示されているように、制御部６によって表示部１１には、該相手先のアドレス帳の別の個別画面４５が表示される。この別の個別画面４５には、前記相手先のメッセージに対する自分のコメントや、さらにその自分のコメントに対する前記相手先のコメントが表示される。さらに、この別の個別画面４５には、コメント入力釦４６が表示され、このコメント入力釦４６をクリックすると、制御部６によって表示部１１には、前記該相手先のメッセージやコメントに対するコメントの作成画面（図示省略）が表示され、前記相手先にコメントを送信することができる。
【００３２】
次に、主に図３及び図１２〜図１５を参照しつつ、本発明の実施の形態に係る携帯通信装置の友達形成方法について説明する。ここで、図１２は本発明の実施の形態に係る携帯通信装置の友達紹介の画面を示す図、図１３は同携帯通信装置の友達紹介の構造を示す図、図１４は同携帯通信装置の友達申請の画面を示す図、図１５は同携帯通信装置の友達申請の構造を示す図である。
【００３３】
図３の全体メイン画面２０において、友達紹介の選択釦２３をクリックすると、図１２に示されているように、制御部６によって表示部１１には、友達紹介の画面５０が表示される。この友達紹介は、図１３に示されているように、携帯電話２ａの持ち主である自分（図１３では「山田」）が将来良い友達になれそうな互いに不知の関係にある不知者双方（図１３では「石沢」と「三好」）の携帯端末２ｂ，２ｃに対して互いに友達関係になることを推薦するための問合せのメールを携帯端末２ａから送信することにより行う。この結果、不知者双方の携帯端末２ｂ，２ｃから同意のメールが自分の携帯端末２ａに送信されてきた場合にのみ、携帯端末２ａの制御部５はこの友達関係を許可し、管理サーバ３に不知者双方の宛名情報を送信する。これを受けて、管理サーバ３はこの不知者双方の宛先情報をそれぞれ不知者双方の携帯端末２ｂ，２ｃに送信し、各携帯端末２ｂ，２ｃの制御部６は互いに相手先の宛先情報を記憶部７のアドレス帳に登録する。そして、自分の携帯端末２ａの友達紹介の画面５０には、紹介進行中の件数と、これまでに紹介した履歴の件数及びその名前が表示される。
【００３４】
また、図３の全体メイン画面２０において、友達申請の選択釦２４をクリックすると、図１４に示されているように、制御部６によって表示部１１には、友達申請の画面５１が表示される。この友達申請は、自分の携帯端末２ａに表示されたcomment logの個別画面３２（図７参照）において友達の申請をしたい相手先の名前（例えば、「三好」）をクリックした時に、制御部６によって表示部１１に表示される「三好さんとは友達関係ではありません。友達を申請しますか？」といった友達申請問合せに対して自分の携帯端末２ａ（図１５では「山田」）から管理サーバ３に対して申請のメールを送信することにより行う。その後、管理サーバ３は、この申請メールを友達関係にある相手先の携帯端末２ｂ（図１５では「石沢」）に送信し、この相手先の携帯端末２ｂから許可のメールが届いた場合であってさらに友達関係の申請を受けた相手先（図１５では「三好」）がＯＫ釦５２（図１４参照）をクリックしてこの携帯端末２ｃから許可信号が届いた場合にのみ前記友達関係の申請を許可する。そして、管理サーバ３は、不知者双方の宛先情報を前記友達関係にある相手先の携帯端末２ｂから取得し、不知者双方の携帯端末２ａ，２ｃに送信し、各携帯端末２ａ，２ｃの制御部６は互いに相手先の宛名情報を記憶部７のアドレス帳に登録する。
【００３５】
このように上記した本発明の実施の形態に係る携帯通信装置によれば、アドレス帳に登録されている相手先であれば、メッセージやコメントをクリックするだけで、相手先と簡単に通信することができ、相手先に通信する度に、多数の相手先の宛先情報が登録されているアドレス帳の中から所望な相手先の宛先情報を検索する必要がない。
【００３６】
また、友達関係を形成するためには、不知者双方の合意や、３者間の合意が必要となり、サービスの利用者間での繋がりを強化することができる。したがって、個人情報を適切に保護することができる。
【００３７】
さらに、アドレス帳の情報をそのまま利用することができるため、携帯端末で使用可能なすべての機能への使用が可能となり、キャリアの増収に繋げることもできると共に、多様なコミュニケーションチャンネルへの拡張を容易に行うことができる。
【００３８】
なお、本発明は、携帯電話以外の、ＰＤＡ（Personal Digital Assistant）、ＰＨＳ（Personal Handy-phone System）、携帯型パソコン等、携帯端末全般に適用可能であることは言う迄もない。
【図面の簡単な説明】
【００３９】
【図１】本発明の実施の形態に係る携帯通信装置の構成を示す概略図である。
【図２】本発明の実施の形態に係る携帯通信装置の構成を示すブロック図である。
【図３】本発明の実施の形態に係る携帯通信装置の全体メイン画面を示す図である。
【図４】本発明の実施の形態に係る携帯通信装置のmy themeのメイン画面を示す図である。
【図５】本発明の実施の形態に係る携帯通信装置のmy themeの個別画面を示す図である。
【図６】本発明の実施の形態に係る携帯通信装置のcomment logのメイン画面を示す図である。
【図７】本発明の実施の形態に係る携帯通信装置のcomment logの個別画面を示す図である。
【図８】本発明の実施の形態に係る携帯通信装置のNew updateのメイン画面を示す図である。
【図９】本発明の実施の形態に係る携帯通信装置のNew updateの個別画面を示す図である。
【図１０】本発明の実施の形態に係る携帯通信装置のアドレス帳の個別画面を示す図である。
【図１１】本発明の実施の形態に係る携帯通信装置のアドレス帳の別の個別画面を示す図である。
【図１２】本発明の実施の形態に係る携帯通信装置の友達紹介の画面を示す図である。
【図１３】本発明の実施の形態に係る携帯通信装置の友達紹介の構造を示す図である。
【図１４】本発明の実施の形態に係る携帯通信装置の友達申請の画面を示す図である。
【図１５】本発明の実施の形態に係る携帯通信装置の友達申請の構造を示す図である。
【符号の説明】
【００４０】
１                  携帯通信装置
２ａ，２ｂ，２ｃ    携帯端末
３                  管理サーバ
４                  データベース
６                  制御部
７                  記憶部
１１                表示部
【図１】
2009044591.tif 000003
【図２】
2009044591.tif 000004
【図３】
2009044591.tif 000005
【図４】
2009044591.tif 000006
【図５】
2009044591.tif 000007
【図６】
2009044591.tif 000008
【図７】
2009044591.tif 000009
【図８】
2009044591.tif 000010
【図９】
2009044591.tif 000011
【図１０】
2009044591.tif 000012
【図１１】
2009044591.tif 000013
【図１２】
2009044591.tif 000014
【図１３】
2009044591.tif 000015
【図１４】
2009044591.tif 000016
【図１５】
2009044591.tif 000017